(57)【要約】【課題】折れ曲がり易く物品自体の容器から上部にはみ出したシール型のＰＯＰ付きの物品を包装容器内に固定、保護することのできる包装容器を提供しようとするものである。【解決手段】物品の上部に飛び出したシール型のＰＯＰ付きの物品を、包装容器内に２列にして収納する包装容器であって、４つの側面と底面からなる外箱および蓋を有し、Ｖ字型に折り込んだ仕切材を２列の物品の間に差し込んで物品を固定することができることを特徴とする包装容器である。【選択図】図１
2016055872.tif 000002
【特許請求の範囲】
【請求項１】
物品の上部に飛び出したシール型のＰＯＰ付きの物品を、包装容器内に２列にして収納する包装容器であって、４つの側面と底面からなる外箱および蓋を有し、Ｖ字型に折り込んだ仕切材を２列の物品の間に差し込んで物品を固定することができることを特徴とする包装容器。
【請求項２】
前記Ｖ字型に折り込んだ仕切材が、物品の外形と相似する窓部を設けてあることを特徴とする請求項１に記載の包装容器。
【請求項３】
前記Ｖ字型に折り込んだ仕切材が、包装容器内でＶ字型が閉じることのないよう固定する変形防止ブリッジ機構を備えていることを特徴とする請求項１または請求項２に記載の包装容器。
【請求項４】
前記Ｖ字型に折り込んだ仕切材を包装容器内に差し込んだ際、該仕切材の窪みと外箱の折込みからなる固定機構を備えていることを特徴とする請求項１〜請求項３のいずれかに記載の包装容器。
【請求項５】
前記Ｖ字型に折り込んだ仕切材が包装容器の蓋に取り付けられており、該仕切材を包装容器内に固定することができることを特徴とする請求項１〜請求項３のいずれかに記載の包装容器。
【請求項６】
前記包装容器の蓋がヒンジにて包装容器の一側面に接続していることを特徴とする請求項５に記載の包装容器。
【発明の詳細な説明】
【技術分野】
【０００１】
本発明は、たとえば商品の広告表示を拡大するためにシール型のＰＯＰを商品自体の容器から上部にはみ出して貼り付けた形状の物品を固定、保護することのできる包装容器に関するものである。
【背景技術】
【０００２】
包装は物品の輸送保管取引使用などの各場面において、その価値及び状態を保護するために適切な材料、容器などを物品に施した状態である。また、容器とは物品または包装物品を収納する入れ物の総称である。ここでは紙を主材料とした紙容器を対象とする。
【０００３】
多くの場合、日用生活雑貨などの物品は製造された後に一個づつが一次包装容器に収納され、さらに一定の個数を段ボール箱などの包装容器に入れて、輸送、保管、販売される。
【０００４】
特公昭４５−３２６６１号公報および実公昭６３−３３７９１号公報に記載されているとおり従来から仕切りつき輸送箱は知られている。実際に商品を仕切り板にて輸送箱内に固定することも広く行なわれている。
【０００５】
特に紙容器においては他の包装容器に比べて、（１）安価で環境適合材料であること、（２）印刷適性が良く加工しやすいこと、（３）軽量であり保管輸送に好都合であること、（４）クッション性に優れること、（５）廃棄の際にも減容化しやすく焼却処理も容易であること、などの利点を有する。
【０００６】
一方で昨今では、商品の広告表示を拡大するために、シール型のＰＯＰを商品自体の容器から上部にはみ出して貼り付けたものが商品化されている。広告効果は大きい半面、シール型のＰＯＰ付きの商品をそのまま仕切りつきの包装容器に収納したのでは、シール型のＰＯＰが折れ曲がったり、損傷する恐れがある。
【０００７】
といって、単に仕切りつきの箱を大きくしてシール型のＰＯＰの保護対策としたのではより多くのスペースが必要となって、輸送、保管、販売において効率が悪くなる恐れがある。
【先行技術文献】
【特許文献】
【０００８】
【特許文献１】特公昭４５−３２６６１号公報
【特許文献２】実公昭６３−３３７９１号公報
【発明の概要】
【発明が解決しようとする課題】
【０００９】
本発明はこのような状況に鑑み、折れ曲がり易く物品自体の容器から上部にはみ出したシール型のＰＯＰ付きの物品を包装容器内に固定、保護することのできる包装容器を提供しようとするものである。
【課題を解決するための手段】
【００１０】
上記の課題を解決するための手段として、請求項１に記載の発明は、物品の上部に飛び出したシール型のＰＯＰ付きの物品を、包装容器内に２列にして収納する包装容器であって、４つの側面と底面からなる外箱および蓋を有し、Ｖ字型に折り込んだ仕切材を２列の
物品の間に差し込んで物品を固定することができることを特徴とする包装容器である。
【００１１】
また、請求項２に記載の発明は、前記Ｖ字型に折り込んだ仕切材が、物品の外形と相似する窓部を設けてあることを特徴とする請求項１に記載の包装容器である。
【００１２】
また、請求項３に記載の発明は、前記Ｖ字型に折り込んだ仕切材が、包装容器内でＶ字型が閉じることのないよう固定する変形防止ブリッジ機構を備えていることを特徴とする請求項１または請求項２に記載の包装容器である。
【００１３】
また、請求項４に記載の発明は、前記Ｖ字型に折り込んだ仕切材を包装容器内に差し込んだ際、該仕切材の窪みと外箱の折込みからなる固定機構を備えていることを特徴とする請求項１〜請求項３のいずれかに記載の包装容器である。
【００１４】
また、請求項５に記載の発明は、前記Ｖ字型に折り込んだ仕切材が包装容器の蓋に取り付けられており、該仕切材を包装容器内に固定することができることを特徴とする請求項１〜請求項３のいずれかに記載の包装容器である。
【００１５】
また、請求項６に記載の発明は、前記包装容器の蓋がヒンジにて包装容器の一側面に接続していることを特徴とする請求項５に記載の包装容器である。
【発明の効果】
【００１６】
本発明によれば、折れ曲がり易く物品自体の容器から上部にはみ出したシール型のＰＯＰ付きの物品を包装容器内に固定、保護することのできる包装容器を提供することができる。
【００１７】
請求項２に記載の発明によれば、前記Ｖ字型に折り込んだ仕切材が、物品の外形と相似する窓部を設けてあることによってより確実に物品を固定、保護することの可能な包装容器を提供することができる。
【００１８】
請求項３に記載の発明によれば、変形防止ブリッジ機構を備えていることによってより強固に物品を固定、保護することのできる包装容器を提供することができる。
【００１９】
請求項４に記載の発明によれば、Ｖ字型に折り込んだ仕切材を２列の物品の間に差し込むと同時に仕切材を固定することができ、より容易かつ確実に物品を固定、保護することのできる包装容器を提供することができる。
【００２０】
請求項５に記載の発明によれば、Ｖ字型に折り込んだ仕切材が包装容器の蓋に取り付けられているために、蓋を閉めると同時に該仕切材を包装容器内に固定することができより容易に物品を固定、保護することができる。
【００２１】
請求項６に記載の発明によれば、Ｖ字型に折り込んだ仕切材が包装容器の蓋に取り付けられているために、蓋を閉めると同時に該仕切材を包装容器内に固定することができより容易に物品を固定、保護することができる。
【図面の簡単な説明】
【００２２】
【図１】図１は本発明に係る包装容器を構成する仕切材の一実施形態の平面模式図である。
【図２】図２は本発明に係る包装容器を構成する仕切材の一実施形態のうち変形防止ブリッジ機構を示す断面模式図である。
【図３】図３は本発明に係る包装容器を構成する仕切材の他の実施形態のうち連結型の変形防止ブリッジを有する実施形態の平面模式図である。
【図４】図４は本発明に係る包装容器を構成する仕切材の他の実施形態のうち連結型の変形防止ブリッジ機構を示す断面模式図である。
【図５】図５は本発明に係る包装容器を構成する外箱の一実施形態の平面展開模式図である。
【図６】図６は本発明に係る包装容器を構成する外箱と仕切材および蓋の、一実施形態の使用状態を示した断面透視模式図である。
【発明を実施するための形態】
【００２３】
以下、本発明本発明を実施するための形態について図を参照しながら詳細に説明を加える。
【００２４】
本発明は、物品の上部に飛び出したシール型のＰＯＰ付きの物品を、包装容器内に２列にして収納する包装容器であって、４つの側面と底面からなる外箱および蓋を有し、Ｖ字型に折り込んだ仕切材を２列の物品の間に差し込んで商品を固定することができることを特徴とする包装容器である。また本発明においては、包装容器は仕切材を外箱内に固定する機構を有し、仕切材を固定することによって収納する物品をより確実に固定することができる。
【００２５】
図１は本発明に係る仕切材の一実施形態の平面模式図である。仕切材（１０）は中央部に折り込み線（１）を有しており、この折り込み線（１）にしたがって折り込むことで、Ｖ字型の仕切材として用いることができる。
【００２６】
仕切材にはくぼみ（２）が設けてあり、包装容器内に差し込んだ際、仕切材の窪み（２）と外箱の折込みによって固定機構として機能する。仕切材の材質などは特に限定するものではないが、物品を固定、保護することのできる強度を有していれば良く、たとえばダンボールや板紙などを用いることができる。
【００２７】
仕切材には窓部（３）を設けることができ、この窓部を物品の外形と相似した形に形成することによって、物品をより確実に固定、保護することができる。すなわち仕切材を外箱に２列に並べて入れた物品の間に差し込んだ際には、物品の一部が窓部にはまり込んで、より確実に物品を固定し保護することができる。
【００２８】
図２は本発明に係る包装容器を構成する仕切材の一実施形態のうち変形防止ブリッジ機構を示す断面模式図である。仕切材には、変形防止ブリッジ（４）を設けることもできる。これは仕切材（１０）で作られたＶ字がつぶれることを防ぐ目的として、Ｖ字の内側に支えを設けるものである。物品の固定をより確実にするだけでなく、輸送中の仕切材（１０）の変形、つぶれなどを防止することができる。
【００２９】
この支えは、当初は折りたたまれて仕切材（１０）に貼りついている形でおり、仕切材（１０）がＶ字に折られて後、Ｖ字の内側で図２の矢印方向に引き起こされて支えの役割を果たす。引き起こすのは仕切材（１０）が外箱内に装着されたあとで引き起こして支えとすることもできる。変形防止ブリッジ（４）は引き起こされた後、向かい側の仕切材に嵌合機構を設けるか、あるいは差し込むなど、変形防止ブリッジ（４）を固定するためのストッパー機構（５）を設けることも好ましい。
【００３０】
図３は本発明に係る包装容器を構成する仕切材の他の実施形態のうち連結型の変形防止ブリッジを有する実施形態の平面模式図である。ひとつまたは複数の窓部（３）仕切材を
完全に取り去るのではなく、連結型の変形防止ブリッジ（６）として残して、折り曲げ線（７）を設ける。
【００３１】
このとき窓部（３）の形状を他の窓より大きくすることで連結型の変形防止ブリッジ（６）も大きくすることができる。特に向かい側の仕切材に接する変形防止ブリッジの辺の長さ（ａ）を、向かい側の窓部（３）の幅（ｂ）より大きくしておくことにより、変形防止ブリッジが向かい側の窓部（３）に入り込んでしまうことを避けることができる。連結型の変形防止ブリッジ（６）はこのことを考慮して、形状を設計することができる。
【００３２】
連結型の変形防止ブリッジ（６）を設けることにより、仕切材（１０）がＶ字に折られて後、該連結型の変形防止ブリッジを図中の矢印の方向にリフトアップして、連結型の変形防止ブリッジ（６）を仕切材（１０）のＶ字の間に固定することができる。
【００３３】
図４は本発明に係る包装容器を構成する仕切材の他の実施形態のうち連結型の変形防止ブリッジ機構を示す断面模式図である。連結型の変形防止ブリッジ（６）の場合には、変形防止ブリッジは、仕切材（１０）と別ピースで設けるのではなく、仕切材と折り曲げ線（７）を境にして一体となって連結している。
【００３４】
また連結型の変形防止ブリッジを窓部（３）のサイズより大きくすることにより、特に向かい側の仕切材に接するブリッジの辺の長さを、向かい側の窓部（３）の幅より大きくしておくことにより、向かい側の窓部（３）に入り込んでしまうことを避けることができる。
【００３５】
図５は本発明に係る包装容器を構成する外箱の一実施形態の平面展開模式図である。外箱（２０）は４つの側面（２４）と底面（２３）からなる。側面は胴部接着タブ（２２）で接着され立体となる。折込み（２１）が外箱に設けられており、外箱内側に折り込んで仕切材の固定に用いられる。また図５に示した例では、底面は４個のタブが組み合わさって底面を形成する。
【００３６】
Ｖ字型に折り込んだ仕切材を２列の物品の間に差し込んで商品を固定する際に、仕切材（１０）のＶ字側面に設けられた窪み（２）と、外箱の内側に折り込まれた折込み（２１）が嵌合する形で仕切材は外箱内側に固定される。この嵌合により包装容器内の物品は固定され、振動や衝撃などから保護される。
【００３７】
図６は本発明に係る包装容器を構成する外箱と仕切材および蓋の、一実施形態の使用状態を示した断面透視模式図である。物品（３１）は個々に一次包装容器（３２）収納され２列に外箱内に並べられる。一次包装容器は（３２）たとえばプラスチックを素材にして真空成型などを用いて物品の略相似形に立体に作られ、物品を覆い保護する目的で用いられる。またシール型のＰＯＰなどもこの一次包装容器（３２）に貼り付けられる。
【００３８】
本発明は物品（３１）の形状を限定するものではないが、図６に示した例では、物品（３１）は頭部が球形で胴部が円筒形の形状であり、このような形状はたとえば、薬品、化粧品、調味料などの商品に多く用いられている。
【００３９】
一次包装容器（３２）に収納され外箱（３４）内に並べられた、その間にＶ字に折りこまれた仕切材（１０）が差し込まれ、物品（３１）および一次包装容器（３２）は固定される。このとき仕切材に設けられた窪み（２）と外箱の折込み（２１）が嵌合して仕切材が固定される。仕切材（１０）の固定によって、物品（３１）および一次包装容器（３２）がより確実に固定される。
【００４０】
また仕切材（１０）のＶ字の間には、変形防止ブリッジが取り付けられて仕切材の変形を防止することができる。図６において示したものは連結型の変形防止ブリッジ（６）の例である。仕切（１０）材が固定された後、蓋（３５）を被せて本発明による包装容器が完成する。
【００４１】
仕切材に窓部（３）が設けてある場合には、この窓部（３）を物品の外形と相似した形に形成することによって、物品をより確実に固定、保護することができる。すなわち仕切材（１０）を外箱に２列に並べて入れた物品の間に差し込んだ際に、物品（３１）の一時包装容器（３２）の一部が窓部（３）にはまり込んで、より確実に物品（３１）を固定し保護することができる。
【００４２】
また変形防止ブリッジが設けてあることによって、仕切材（１０）の変形を防止することができる。図６においては連結型の変形防止ブリッジ（６）を設けた例を示した。
【００４３】
本発明は折れ曲がり易く物品（３１）自体の容器から上部にはみ出したシール型のＰＯＰ（３３）付きの物品を包装容器内に固定、保護することのできる包装容器を提供しようとするものである。したがって物品の固定、保護のみならず、物品（３１）自体の一次包装容器（３２）から上部にはみ出したシール型のＰＯＰ（３３）付きの物品（３１）を本発明による包装容器内に固定する際には、上部にはみ出したシール型のＰＯＰ（３３）はＶ字型に折り込まれた仕切材（１０）と外箱（３４）の間に挟まれた空間で保護される。図６においては折込み（２１）の一部を省いて、シール型のＰＯＰ（３３）の保護される状態を断面透視模式図で可視化して示す。
【００４４】
Ｖ字型に折り込まれた仕切材は、包装容器を構成する蓋（３５）に取り付けておくこともできる。この場合には蓋（３５）自身が仕切材の固定機構であり、仕切材（１０）は蓋（３５）に固定されているために蓋（３）を被せると同時に物品（３１）の固定が行なわれる。また蓋（３）は別部材として用意することもでき、またたとえばヒンジを用いて包装容器の一側面に接続する形であってもよい。
【００４５】
このように本発明によれば、折れ曲がり易く物品自体の容器から上部にはみ出したシール型のＰＯＰ付きの物品を包装容器内に固定、保護することのできる包装容器を提供することが可能である。
【符号の説明】
【００４６】
１・・・折り込み線
２・・・窪み
３・・・窓部
４・・・変形防止ブリッジ
５・・・ストッパー機構
６・・・連結型の変形防止ブリッジ
７・・・折り曲げ線
１０・・・仕切材
２０・・・外箱
２１・・・折込み
２２・・・胴部接着タブ
２３・・・底部
３１・・・物品
３２・・・一次包装容器
３３・・・シール型のＰＯＰ
３４・・・外箱
３５・・・蓋
ａ・・・向かい側の仕切材に接する変形防止ブリッジの辺の長さ
ｂ・・・向かい側の窓部の幅
【図１】
2016055872.tif 000003
【図２】
2016055872.tif 000004
【図３】
2016055872.tif 000005
【図４】
2016055872.tif 000006
【図５】
2016055872.tif 000007
【図６】
2016055872.tif 000008